(57)【要約】【課題】特定の物質が溶解した液体を生成する溶解液生成装置であって、気体状態の特定の物質が当該装置内に残留することが防止された溶解液生成装置およびオゾン水生成装置、並びに、それを備えた衛生器具用洗浄装置を提供する。【解決手段】オゾン水生成装置１００は、気体流路１１４と液体流路１２１とオゾン発生器１２０とエジェクタ１３０と気液分離部１４０と制御部とを備えている。制御部は、オゾン発生器１２０が作動している間には、液体流路１２１からエジェクタ１３０に水を供給するように、且つ、オゾン発生器１２０の作動が停止された場合には、液体流路１２１からエジェクタ１３０に、オゾン発生器１２０の作動が停止されてから所定時間水を供給し続けるように、液体流路１２１を流通する水の流量を制御する。【選択図】図１
2013094696.tif 000002
【特許請求の範囲】
【請求項１】
特定の物質が溶解された液体を生成する溶解液生成装置であって、
気体状態の前記特定の物質を流通させるための気体流路と、
前記特定の物質が溶解される液体を流通させるための液体流路と、
気体状態の前記特定の物質を生成し且つ生成した前記気体を前記気体流路に供給するための気体発生部と、
前記液体流路の一部を形成し、前記気体流路の一端が接続され、且つ、前記気体発生部から前記気体流路に供給される前記特定の物質を、前記液体流路を流通する液体に前記気体流路の一端から溶解させるための気液混合部と、
前記液体流路のうちの前記気液混合部よりも液体の流れ方向の下流側の一部を形成し、前記気体流路の他端が接続され、前記液体流路を流通する液体から前記特定の物質の気泡を分離させ且つ前記特定の物質の一部を前記気体流路の他端から前記気体流路に排気するための気液分離部と、
前記気体発生部が作動している間には、前記液体流路から前記気液混合部に液体を供給するように、且つ、前記気体発生部の作動が停止された場合には、前記液体流路から前記気液混合部に、前記気体発生部の作動が停止されてから所定時間液体を供給し続けるように、前記液体流路を流通する液体の流量を制御する制御部とを備えた、溶解液生成装置。
【請求項２】
前記液体流路から前記気液混合部に流入する液体の流れを制限する流入弁をさらに備え、
前記制御部は、前記気体発生部の作動状態から非作動状態への切り替えを判断する判断部と、前記流入弁を制御する弁制御部と、タイマとを有し、
前記弁制御部は、前記気体発生部が作動している間には、前記流入弁に前記液体流路を開放させ、且つ、前記判断部によって前記気体発生部が作動状態から非作動状態に切り替えられたことが判断された場合には、前記判断部によって前記気体発生部が作動状態から非作動状態に切り替えられたことが判断された時点から所定時間が経過した後に、前記流入弁に前記液体流路を閉塞させる、請求項１に記載の溶解液生成装置。
【請求項３】
一端が前記気液混合部に接続され、他端が前記気液分離部に接続された排気流路と、
前記気体流路において、前記気液分離部と前記気体発生部との間の部分を開閉する第１の弁と、
前記排気流路を開閉する第２の弁と、
前記気液分離部から前記排気流路に排出された特定の物質を所定の成分に分解するための分解部とをさらに備え、
前記弁制御部は、前記気体発生部が作動している間には、前記第１の弁に前記部分を開放させ且つ前記第２の弁に前記排気流路を閉塞させ、且つ、前記判断部によって前記気体発生部が作動状態から非作動状態に切り替えられたことが判断された場合には、前記判断部によって前記気体発生部が作動状態から非作動状態に切り替えられたことが判断された時点から前記所定時間が経過するまでの間に、前記第１の弁に前記部分を閉塞させ且つ前記第２の弁に前記排気流路を開放させる、請求項２に記載の溶解液生成装置。
【請求項４】
前記液体流路のうちの前記気液混合部よりも液体の流れ方向の上流側の部分を開閉する流入弁と、
前記液体流路のうちの前記気液分離部よりも液体の流れ方向の下流側の部分を開閉する流出弁と、
前記液体流路のうちの前記流入弁と前記気液混合部との間に一端が接続され、前記液体流路のうちの前記気液分離部と前記流出弁との間に他端が接続された循環流路と、
前記気液分離部から前記気体流路に排出された特定の物質を所定の成分に分解するための分解部と、
前記循環流路に接続されたポンプとをさらに備え、
前記制御部は、前記気体発生部の作動状態から非作動状態への切り替えを判断する判断部と、前記流入弁および前記流出弁を制御する弁制御部と、前記ポンプを制御するポンプ制御部と、タイマとを有し、
前記弁制御部は、前記気体発生部が作動している間には、前記流入弁に前記上流側の部分を開放させ且つ前記流出弁に前記下流側の部分を開放させ、且つ、前記判断部によって前記気体発生部が作動状態から非作動状態に切り替えられたことが判断された場合には、前記判断部によって前記気体発生部が作動状態から非作動状態に切り替えられたことが判断された時点から前記所定時間が経過するまでの間に、前記流入弁に前記上流側の部分を閉塞させ且つ前記流出弁に前記下流側の部分を閉塞させ、
前記ポンプ制御部は、前記判断部によって前記気体発生部が作動状態から非作動状態に切り替えられたことが判断された場合には、前記判断部によって前記気体発生部が作動状態から非作動状態に切り替えられたことが判断された時点から前記所定時間が経過するまでの間に、前記ポンプを作動させる、請求項１に記載の溶解液生成装置。
【請求項５】
前記気体発生部は、オゾンを発生させ、
請求項１から請求項４までのいずれか１項に記載の溶解液生成装置は、オゾンが溶解した水を生成する、オゾン水生成装置。
【請求項６】
請求項１から請求項５までのいずれか１項に記載の溶解液生成装置を備えた、
衛生器具用洗浄装置。
【発明の詳細な説明】
【技術分野】
【０００１】
本発明は、溶解液生成装置およびオゾン水生成装置、並びに、それを備えた衛生器具用洗浄装置に関する。
【背景技術】
【０００２】
例えば、特開平２−１７４８１９号公報（以下、特許文献１という）に記載のオゾン水手洗装置、特開平３−１５４６８９号公報（以下、特許文献２という）に記載のオゾン水製造装置、または、特開平８−１６８７８７号公報（以下、特許文献３という）に記載のオゾン水生成装置のように、酸素または空気からオゾンガスを発生させ、且つ、発生したオゾンガスを水中に溶解させることにより、オゾンが溶解した水を生成するオゾン水生成装置が従来から知られている。特許文献１に係るオゾン水手洗装置、特許文献２に係るオゾン水製造装置、または、特許文献３に係るオゾン水生成装置は、特定の気体を発生させ、発生した特定の気体を液体中に溶解させることにより、特定の物質が溶解した液体を生成する装置の例である。
【０００３】
特許文献１に係るオゾン水手洗装置、または、特許文献２に係るオゾン水製造装置は、純水を電気分解することによってオゾンガスを発生させるオゾナイザと、オゾンガスをオゾン水に変換するための反応筒と、反応筒内でオゾンガスと水とが接触且つ反応することによって得られるオゾン水を反応筒外に放出するためのオゾン水放出路と、オゾンガスと水との反応で余ったオゾンガスを反応筒外に追放するための空気通路と、空気通路の一端に接続されたエアーポンプと、反応筒から追放されるオゾンガスを流通させる排オゾン通路と、排オゾン通路に配置されたオゾンキラーとを備えている。
【０００４】
特許文献１に係るオゾン水手洗装置と特許文献２に係るオゾン水製造装置とのうち、例えば特許文献２に係るオゾン水製造装置において、オゾンガスが水中に溶解したオゾン水の使用が一定時間以上行われないままである場合、つまり、オゾンガスが反応筒に供給された後に所定時間以上の時間が経過した場合には、エアーポンプから空気通路を介して反応筒内へ送り込まれる空気によって、オゾナイザから供給されたオゾンガスが、反応筒内から排オゾン通路を介してオゾンキラーに送出される。オゾンキラーによって分解され且つ無害化されたガスは、オゾン水手洗装置の系外に放出される。このようにして、特許文献１に係るオゾン水手洗装置、または、特許文献２に係るオゾン水製造装置は、反応筒内のオゾンガスの濃度を許容値に保持している。
【０００５】
特許文献３に係るオゾン水生成装置は、酸素ガス中において放電を行うことによって酸素からオゾンガスを発生させるオゾンガス発生器と、水を外部から供給する液供給手段と、液供給手段から供給される水と、オゾンガス発生器から供給されるオゾンガスとを混合させる気液混合手段とを備えている。気液混合手段は、気液混合器と溶解槽とを有している。液供給手段から供給される水と、オゾンガス発生器から供給されるオゾンガスとは、気液混合器によって混合される。
【０００６】
溶解槽は、内槽と外槽とからなる二重槽である。気液混合器から溶解槽に供給されたオゾンガスと水との混合物は、内槽内に噴出される。内槽内において、オゾンガスは水中に溶解される。オゾンガスが溶解した水は、内槽から外槽に溢れ出た後に、外槽に貯留される。
【０００７】
また、特許文献３に係るオゾン水生成装置は、溶解槽の外槽の上部に通じる配管と、配管の途中に設けられた処理容器と、処理容器の内部に充填されてオゾンガスを酸素に分解する触媒と、処理容器の周囲に設けられて触媒を加熱するヒータとによって構成されたオゾンガス分解手段を備えている。溶解槽にて水に溶解されずに残留したオゾンガスは、オゾンガス分解手段の触媒によって分解されることにより、無害化される。
【先行技術文献】
【特許文献】
【０００８】
【特許文献１】特開平２−１７４８１９号公報
【特許文献２】特開平３−１５４６８９号公報
【特許文献３】特開平８−１６８７８７号公報
【発明の概要】
【発明が解決しようとする課題】
【０００９】
しかしながら、特許文献１に係るオゾン水手洗装置と特許文献２に係るオゾン水製造装置とは、オゾン水の使用が停止されてから一定時間以上の時間が経過しない限り、反応筒内に残留したオゾンガスが、オゾンキラーによって分解され且つ無害化されたうえで当該装置の系外に放出されることがない。
【００１０】
すなわち、特許文献１に係るオゾン水手洗装置と特許文献２に係るオゾン水製造装置とにおいては、オゾン水の使用が停止されてから一定時間以上の時間が経過するまで、少なくとも反応筒にオゾンガスが残留し続ける。そのため、反応筒を含むオゾンガスが残留する部分においては、オゾン水の使用が停止されてから一定時間以上の時間が経過するまで、当該部分とオゾンガスとの接触が継続する。
【００１１】
また、特許文献３に係るオゾン水生成装置は、溶解槽に残留するオゾンガスを、系外へ強制的に送出する構成を備えていないため、系内にはオゾンガスが残留し易い。
【００１２】
オゾンガスが残留する部分が、オゾンガスと接触し続ける場合には、当該部分がオゾンガスによって劣化する事態が発生するおそれがある。例えば特許文献３に係るオゾン水生成装置において、オゾンを発生させる放電電極付近にオゾンガスが残留し続ける場合には、放電電極が劣化することにより、オゾンの発生に悪影響が及ぼされる。
【００１３】
なお、オゾンは、装置が供給する液体に積極的に混入且つ溶解されることにより、その物質が溶解された液体を装置の使用者が使用する際には有用な物質であって、装置の所定の部分に残留することによって悪影響を及ぼすおそれがある特定の物質の一例である。
【００１４】
そこで、本発明の目的は、特定の物質が溶解した液体を生成する溶解液生成装置であって、気体状態の特定の物質が当該装置内に残留することが防止された溶解液生成装置およびオゾン水生成装置、並びに、それを備えた衛生器具用洗浄装置を提供することである。
【課題を解決するための手段】
【００１５】
本発明に従った溶解液生成装置は、特定の物質が溶解された液体を生成する溶解液生成装置である。本発明に従った溶解液生成装置は、気体流路と、液体流路と、気体発生部と、気液混合部と、気液分離部と、制御部とを備えている。
【００１６】
気体流路は、気体状態の特定の物質を流通させるためのものである。液体流路は、特定の物質が溶解される液体を流通させるためのものである。気体発生部は、気体状態の特定の物質を生成し且つ生成した気体を気体流路に供給するためのものである。気液混合部は、液体流路の一部を形成し、気体流路の一端が接続され、且つ、気体発生部から気体流路に供給される特定の物質を、液体流路を流通する液体に気体流路の一端から溶解させるためのものである。気液分離部は、液体流路のうちの気液混合部よりも液体の流れ方向の下流側の一部を形成し、気体流路の他端が接続され、液体流路を流通する液体から特定の物質の気泡を分離させ且つ特定の物質の一部を気体流路の他端から気体流路に排気するためのものである。
【００１７】
制御部は、気体発生部が作動している間には、液体流路から気液混合部に液体を供給するように、且つ、気体発生部の作動が停止された場合には、液体流路から気液混合部に、気体発生部の作動が停止されてから所定時間液体を供給し続けるように、液体流路を流通する液体の流量を制御する。
【００１８】
本発明によれば、気体発生部の作動が停止された場合に、気体発生部の作動が停止されてから、液体流路から気液混合部に液体が所定時間供給され続ける。これにより、気体発生部の作動が停止された後に、気液分離部に気液混合部から液体が供給される。そのため、気体流路に残留する特定の気体は、液体流路を流通する液体に気体流路から混入され且つ液体流路から外部に排出される。これにより、気体発生部の作動が停止された後に、気体状態の特定の物質が当該溶解液生成装置内に残留することが防止される。そのため、当該溶解液生成装置において気体状態の特定の物質が残留する部分が、特定の物質によって劣化する事態を防止することができる。
【００１９】
したがって、本発明によれば、特定の物質が溶解された液体を生成する溶解液生成装置であって、気体状態の特定の物質が当該装置内に残留することが防止された溶解液生成装置を提供することができる。
【００２０】
本発明に従った溶解液生成装置は、流入弁をさらに備えていることが好ましい。流入弁は、好ましくは、液体流路から気液混合部に流入する液体の流れを制限する。本発明に従った溶解液生成装置において、制御部は、判断部と、弁制御部と、タイマとを有していることが好ましい。判断部は、好ましくは、気体発生部の作動状態から非作動状態への切り替えを判断する。
【００２１】
弁制御部は、好ましくは、流入弁を制御する。弁制御部は、好ましくは、気体発生部が作動している間には、流入弁に液体流路を開放させ、且つ、判断部によって気体発生部が作動状態から非作動状態に切り替えられたことが判断された場合には、判断部によって気体発生部が作動状態から非作動状態に切り替えられたことが判断された時点から所定時間が経過した後に、流入弁に液体流路を閉塞させる。
【００２２】
この構成によれば、気体発生部が作動している間には、液体流路が流入弁によって開放される。また、気体発生部の作動が停止された場合には、流入弁によって液体流路が、気体発生部の作動が停止された時点から所定時間開放される。このように、この構成によれば、気体発生部の作動が停止された時点から、液体流路から気液混合部に液体を所定時間供給し続けることができる。したがって、気体状態の特定の物質が当該溶解液生成装置内に残留することが防止される。そのため、当該溶解液生成装置において気体状態の特定の物質が残留する部分が、特定の物質によって劣化する事態を防止することができる。
【００２３】
本発明に従った溶解液生成装置は、排気流路と、第１の弁と、第２の弁と、分解部とをさらに備えていることが好ましい。排気流路の一端は、気液混合部に接続されていることが好ましい。排気流路の他端は、気液分離部に接続されていることが好ましい。第１の弁は、好ましくは、気体流路において、気液分離部と気体発生部との間の部分を開閉する。第２の弁は、好ましくは、排気流路を開閉する。分解部は、好ましくは、気液分離部から排気流路に排出された特定の物質を所定の成分に分解するためのものである。
【００２４】
本発明に従った溶解液生成装置において、弁制御部は、好ましくは、気体発生部が作動している間には、気液分離部と気体発生部との間の部分を第１の弁に開放させ且つ第２の弁に排気流路を閉塞させる。弁制御部は、好ましくは、判断部によって気体発生部が作動状態から非作動状態に切り替えられたことが判断された場合には、判断部によって気体発生部が作動状態から非作動状態に切り替えられたことが判断された時点から所定時間が経過するまでの間に、気液分離部と気体発生部との間の部分を第１の弁に閉塞させ且つ第２の弁に排気流路を開放させる。
【００２５】
この構成によれば、液体流路から気液混合部には、気体発生部の作動が停止された場合に、気体発生部の作動が停止されてから液体が所定時間供給され続ける。一方、気液分離部と気液混合部との間に延びる排気流路は、気体発生部が作動している間に、第２の弁によって閉塞されている。排気流路は、気体発生部の作動が停止された場合には、気体発生部の作動が停止された時点から、第２の弁によって所定時間開放される。これにより、気体発生部の作動が停止された場合に、気液混合部と気液分離部との間および排気流路を気体が所定時間流通し続ける。さらに、この所定時間内に、排気流路を流通する特定の物質は、分解部によって所定の成分に分解される。
【００２６】
当該溶解液生成装置に残留する気体状態の特定の物質と、所定の成分に分解された物質とは、液体流路を流通する液体に気体流路から混入されることにより、液体流路から外部に排出される。このようにして、この構成によれば、気体発生部の作動が停止された後に、気体状態の特定の物質が当該溶解液生成装置内に残留することが防止される。そのため、当該溶解液生成装置において気体状態の特定の物質が残留する部分が、特定の物質によって劣化する事態を防止することができる。
【００２７】
本発明に従った溶解液生成装置は、流入弁と、流出弁と、循環流路と、分解部と、ポンプとをさらに備えていることが好ましい。流入弁は、好ましくは、液体流路のうちの気液混合部よりも液体の流れ方向の上流側の部分を開閉する。流出弁は、好ましくは、液体流路のうちの気液分離部よりも液体の流れ方向の下流側の部分を開閉する。循環流路の一端は、好ましくは、液体流路のうちの流入弁と気液混合部との間に接続されている。循環流路の他端は、好ましくは、液体流路のうちの気液分離部と流出弁との間に接続されている。分解部は、好ましくは、気液分離部から気体流路に排出された特定の物質を所定の成分に分解するためのものである。ポンプは、好ましくは、循環流路に接続されている。
【００２８】
本発明に従った溶解液生成装置において、制御部は、判断部と、弁制御部と、ポンプ制御部と、タイマとを有していることが好ましい。判断部は、好ましくは、気体発生部の作動状態から非作動状態への切り替えを判断する。弁制御部は、好ましくは、流入弁および流出弁を制御する。ポンプ制御部は、好ましくは、ポンプを制御する。
【００２９】
本発明に従った溶解液生成装置において、弁制御部は、好ましくは、気体発生部が作動している間には、流入弁に上流側の部分を開放させ且つ流出弁に下流側の部分を開放させる。弁制御部は、好ましくは、判断部によって気体発生部が作動状態から非作動状態に切り替えられたことが判断された場合には、判断部によって気体発生部が作動状態から非作動状態に切り替えられたことが判断された時点から所定時間が経過するまでの間に、流入弁に上流側の部分を閉塞させ且つ流出弁に下流側の部分を閉塞させる。
【００３０】
本発明に従った溶解液生成装置において、ポンプ制御部は、好ましくは、判断部によって気体発生部が作動状態から非作動状態に切り替えられたことが判断された場合には、判断部によって気体発生部が作動状態から非作動状態に切り替えられたことが判断された時点から所定時間が経過するまでの間に、ポンプを作動させる。
【００３１】
この構成によれば、気体発生部が作動している間には、液体流路において流入弁が配置された位置と流出弁が配置された位置との間を液体が流通する。気体発生部の作動が停止された場合には、ポンプの作動により、液体流路の一部と循環流路との間を、気体発生部の作動が停止されてから所定時間液体が循環する。そのため、気体発生部の作動が停止された場合には、循環流路から気液混合部に、気体発生部の作動が停止されてから所定時間液体が供給され続ける。
【００３２】
一方、気体は、気体発生部の作動が停止された場合に、液体流路のうちの気液混合部と気液分離部との間および気体流路を所定時間流通し続ける。当該溶解液生成装置に残留する気体状態の特定の物質は、この所定時間内に、液体流路の一部と循環流路との間を循環する液体に混入される。さらに、液体に混入された特定の物質は、この所定時間において循環流路を流通するときに、分解部によって所定の成分に分解される。このようにして、気体状態の特定の物質が当該溶解液生成装置内に残留することが防止される。そのため、当該溶解液生成装置において気体状態の特定の物質が残留する部分が、特定の物質によって劣化する事態を防止することができる。
【００３３】
上記のいずれかの溶解液生成装置は、オゾンが溶解した水を生成するオゾン水生成装置であることが好ましい。本発明に従ったオゾン水生成装置において、気体発生部は、好ましくはオゾンを発生させる。
【００３４】
本発明に従ったオゾン水生成装置は、当該オゾン水生成装置において気体状態のオゾンが残留する部分が、オゾンによって劣化する事態を防止することができる。
【００３５】
本発明に従った衛生器具用洗浄装置は、上記のいずれかの溶解液生成装置を備えていることが好ましい。
【００３６】
本発明に従った衛生器具用洗浄装置は、当該衛生器具用洗浄装置において気体状態の特定の物質が残留する部分が、特定の物質によって劣化する事態を防止することができる。
【発明の効果】
【００３７】
以上のように、本発明によれば、特定の物質が溶解した液体を生成する溶解液生成装置であって、気体状態の特定の物質が当該装置内に残留することが防止された溶解液生成装置およびオゾン水生成装置、並びに、それを備えた衛生器具用洗浄装置を提供することができる。
【図面の簡単な説明】
【００３８】
【図１】本発明の第１実施形態に係る溶解液生成装置を模式的に示す図である。
【図２】本発明の第１実施形態に係る溶解液生成装置に含まれる制御部の一例を示すブロック図である。
【図３】本発明の第１実施形態に係る溶解液生成装置の制御の一例を示すフローチャートである。
【図４】本発明の第２実施形態に係る溶解液生成装置を模式的に示す図である。
【図５】本発明の第２実施形態に係る溶解液生成装置に含まれる制御部の一例を示すブロック図である。
【図６】本発明の第２実施形態に係る溶解液生成装置の制御の一例を示すフローチャートである。
【図７】本発明の第３実施形態に係る溶解液生成装置を模式的に示す図である。
【図８】本発明の第３実施形態に係る溶解液生成装置に含まれる制御部の一例を示すブロック図である。
【図９】本発明の第３実施形態に係る溶解液生成装置の制御の一例を示すフローチャートである。
【図１０】衛生器具設備の一例としての便所を洗浄するためのオゾン水生成装置を備えた衛生器具用洗浄装置の一例を示す模式図である。
【図１１】衛生器具の一例としての小便器を洗浄するためのオゾン水生成装置を備えた衛生器具用洗浄装置の一例を示す模式図である。
【図１２】衛生器具の一例としての大便器を洗浄するためのオゾン水生成装置を備えた衛生器具用洗浄装置の一例を示す模式図である。
【図１３】本発明に従った溶解液生成装置の一例であるオゾン水生成装置の一つの実施例において、オゾンの生成が停止されてから経過した時間と、オゾン水生成装置に残留する気体のオゾン濃度との関係、および、オゾンの生成が停止されてから経過した時間と、オゾン水のオゾン濃度との関係を示すグラフである。
【発明を実施するための形態】
【００３９】
以下、本発明の実施の形態を図面に基づいて説明する。
【００４０】
（第１実施形態）
図１に、本発明の第１実施形態に係る溶解液生成装置の一例としてのオゾン水生成装置１００を示す。オゾン水生成装置１００は、オゾンが溶解した水を供給する装置である。オゾン水生成装置１００は、気体流路１１４と、液体流路１２１と、気体発生部の一例としてのオゾン発生器１２０と、気液混合部の一例としてのエジェクタ１３０と、気液分離部１４０とを備えている。
【００４１】
オゾン水生成装置１００は、溶解液生成装置の一例であって、オゾンが溶解した水を生成する。溶解液生成装置は、特定の物質が溶解された液体を生成するものであればよい。液体に溶解される特定の物質は、溶解液生成装置が供給する液体に積極的に混入且つ溶解されることにより、その物質が溶解された液体を当該装置の使用者が使用する際には有用な物質である。ただし、特定の物質のうち、当該装置の所定の部分に当該物質が残留することによって悪影響を及ぼすおそれがあるものは、当該装置の内部に残留させておくことは好ましくない。
【００４２】
オゾン水生成装置１００は、当該装置の外部から気体を導入する気体導入部１１０を備えている。気体導入部１１０は、管路１１１と逆止弁１１２とを有している。管路１１１の一端は、酸素または空気を貯蔵したガスボンベ等と接続している。ただし、管路１１１の一端は、大気圧に開放されていてもよい。なお、管路１１１と気体流路１１４と液体流路１２１とは、一般的な配管によって形成されており、図示しない管状部材によって形成されている。
【００４３】
管路１１１の他端は、接続部１１３を介して気体流路１１４に接続されている。気体流路１１４は、気体状態のオゾンを流通させるためのものである。気体流路１１４には、逆止弁１１５が配置されている。
【００４４】
なお、管路１１１には、オゾンガスを還元する機能を有するオゾンフィルタ（図示せず）が配置されていてもよい。オゾンフィルタは、例えば、オゾンを分解するための触媒が、格子状に構成された紙またはアルミニウムに付着されたもの等、一般的なオゾンフィルタである。
【００４５】
オゾン発生器１２０は、気体状態のオゾンを生成し且つ生成したオゾンを気体流路１１４に供給する。気体導入部１１０によって導入された空気または酸素等の気体は、管路１１１と気体流路１１４とを通ってオゾン発生器１２０に導入される。オゾン発生器１２０は、金属電極によって形成されたオゾン発生素子（図示せず）を有している。オゾン発生素子は、導入された空気または酸素を材料にしてオゾンガスを発生させる。なお、オゾン発生器１２０の構成は、特に限定されず、気体流路１１４から導入される空気または酸素等の気体からオゾンガスを生成するように構成されていればよい。オゾン発生器１２０としては、一般的なオゾン発生器を用いることが可能である。
【００４６】
オゾン水生成装置１００において、液体としての水は液体流路１２１を流通する。液体流路１２１は、オゾンが溶解される水を流通させる。液体流路１２１には、流入弁１５１が配置されている。流入弁１５１は、電子的に開閉が制御される電磁弁である。流入弁１５１は、オゾン水生成装置１００の本体（図示せず）の外部に配置されたものであってもよく、本体の内部に収容されたものであってもよい。流入弁１５１は、液体流路１２１のうちのエジェクタ１３０よりも水の流れ方向の上流側の部分を開閉する。
【００４７】
オゾン水生成装置１００においては、気液混合部として、エジェクタ型のものが利用されている。気液混合部の一例としてのエジェクタ１３０は、液体流路１２１の一部を形成している。エジェクタ１３０には、気体の流入口１３３と液体の流入口１３１とオゾン水の流出口１３２とが形成されている。気体流路１１４の一端は、流入口１３３を介してエジェクタ１３０に接続されている。エジェクタ１３０の内部と気体流路１１４の内部とは、流入口１３３によって連通されている。
【００４８】
オゾン発生器１２０から気体流路１１４に供給されるオゾンは、気体流路１１４の一端からエジェクタ１３０に導入される。エジェクタ１３０に導入されるオゾンは、液体流路１２１を流通する水に混合され、且つ、液体流路１２１の流れの圧力に基づいて水に溶解される。このようにして、エジェクタ１３０は、液体流路１２１を流通する水に、オゾン発生器１２０から気体流路１１４に供給される気体としてのオゾンを溶解させる。
【００４９】
エジェクタ１３０よりも、液体流路１２１を流通する水の流れ方向の下流側には、気液分離部１４０が配置されている。気液分離部１４０は、液体流路１２１のうちのエジェクタ１３０よりも水の流れ方向の下流側の一部を形成している。気液分離部１４０は、容器状の形状、つまり、内部に空間が形成された多角柱形状または略円柱形状を有している。気液分離部１４０の形状は、内部に空間が形成された多角錐形状または略円錐形状であってもよい。気液分離部１４０には、気体の流出口１４３とオゾン水の流入口１４１とオゾン水の流出口１４２とが形成されている。流出口１４３には、気体流路１１４の他端が接続されている。
【００５０】
流入口１４１から気液分離部１４０の内部に流入したオゾン水には、オゾンの気泡が、水に溶解し切らずに残っている。気液分離部１４０において、オゾンの気泡と水中に含まれる空気等の気体とは、液体流路１２１を流通する水から分離された後に、流出口１４３から気体流路１１４に排出される。気液分離部１４０は、液体流路１２１を流通する水からオゾンの気泡を含む気体を分離させ且つオゾンの一部を気体流路１１４の他端から気体流路１１４に排出する。
【００５１】
次に、オゾン水生成装置１００の水の流れと、オゾンを含む気体の流れとを説明する。オゾン水生成装置１００において、液体としての水は、液体流路１２１に流通する。液体流路１２１を流れる水は、流入弁１５１を通過した後に流入口１３１からエジェクタ１３０の内部に流入する。エジェクタ１３０の内部を流通した水は、流出口１３２からエジェクタ１３０の外部に流出する。
【００５２】
エジェクタ１３０の内部には、オゾン発生器１２０が発生させた気体のオゾンが、流入口１３３から流入する。流入口１３３から流入した気体のオゾンは、液体流路１２１としてのエジェクタ１３０の内部を流通する水に混合される。水に混合されたオゾンの一部は、水流の圧力に基づいて水に溶解される。オゾンを含む水は、流出口１３２からエジェクタ１３０の外部に流出する。
【００５３】
流出口１３２からエジェクタ１３０の外部に流出したオゾンを含む水は、流入口１４１から気液分離部１４０の内部に流入する。気液分離部１４０において水から分離された空気とオゾンの一部とは、流出口１４３から気体流路１１４に流出する。水に溶解されていないオゾンと空気とは、気体流路１１４に排出された後に流入口１３３からエジェクタ１３０の内部に再び流入する。エジェクタ１３０において水に溶解されなかったオゾンは、気体流路１１４と、エジェクタ１３０と気液分離部１４０との間に延びる液体流路１２１の一部とを循環する間に、液体流路１２１を流通する水に次第に溶解される。オゾンが溶解したオゾン水は、流出口１４２から気液分離部１４０の外部に排出された後に、吐水部１６０からオゾン水生成装置１００の外部に供給される。
【００５４】
図２には、オゾン水生成装置１００が備える制御部１８０の構成の一例を示す。図２に示すように、制御部１８０は、タイマ１８１と判断部１８２とオゾン発生制御部１８３と弁制御部１８４とを有している。
【００５５】
オゾン発生制御部１８３は、オゾン発生器１２０を制御する。オゾン発生制御部１８３は、オゾン発生器１２０の金属電極に接続された電源回路を制御することにより、金属電極に印加される電圧を制御する。制御部１８０には、スイッチ１７２を介して操作部１７１が電子的または電気的に接続されている。操作部１７１は、使用者が操作するためのものであって、オゾン水生成装置１００の外部から操作部１７１を使用者が操作することができるような位置に配置されている。
【００５６】
操作部１７１の操作に基づいて、スイッチ１７２のオンまたはオフが切り替えられる。スイッチ１７２のオンまたはオフのそれぞれに応じて、オゾン発生器１２０のオン状態またはオフ状態、つまり、作動状態または非作動状態が切り替えられる。オゾン発生器１２０の作動状態とは、オゾン発生器１２０がオゾンを発生させている状態のことであり、例えば、オゾン発生器１２０の金属電極（図示せず）に電圧が印加されている状態のことである。一方、オゾン発生器１２０の非作動状態とは、オゾン発生器１２０がオゾンの発生を停止している状態のことであり、例えば、オゾン発生器１２０の金属電極に電圧が印加されていない状態のことである。判断部１８２は、オゾン水生成装置１００において制御に必要な判断を実行する。判断部１８２は、オゾン発生器１２０の作動状態から非作動状態への切り替えを判断する。
【００５７】
弁制御部１８４は、流入弁１５１を制御する。弁制御部１８４は、オゾン発生器１２０が作動している間には、液体流路１２１のうちのエジェクタ１３０（図１参照）よりも水の流れ方向の上流側の部分を流入弁１５１に開放させる。弁制御部１８４は、判断部１８２によってオゾン発生器１２０が作動状態から非作動状態に切り替えられたことが判断された場合には、判断部１８２によってオゾン発生器１２０が作動状態から非作動状態に切り替えられたことが判断された時点から所定時間が経過した後に、液体流路１２１のうちのエジェクタ１３０よりも水の流れ方向の上流側の部分を流入弁１５１に閉塞させる。例えばオゾン水生成装置１００においてオゾン水が生成されているときに液体流路１２１に供給されている単位時間当たりの水量と同じ単位時間当たりの水量の水が、オゾン発生器１２０の作動が停止されてからも引き続き液体流路１２１に供給されている。
【００５８】
次に、オゾン発生器１２０が作動状態から非作動状態に切り替えられた場合に実行されるオゾン水生成装置１００の制御の一例について、フローチャートを用いて説明する。図３に示すように、ステップＳ１１において、オゾン発生器１２０の作動が停止されたか否かが判定される。ステップＳ１１においてオゾン発生器１２０の作動が停止されたことが判定される場合には、ステップＳ１２に進む。
【００５９】
ステップＳ１２では、オゾン発生器１２０の作動が停止された時点から経過する時間のカウントが開始される。オゾン発生器１２０の作動が停止された時点から経過する時間は、タイマ１８１（図２参照）によって数えられる。ステップＳ１３では、オゾン発生器１２０の作動が停止された時点から、所定の時間が経過したか否かが判定される。ステップＳ１３において、所定の時間が経過したことが判定される場合には、ステップＳ１４に進む。
【００６０】
ステップＳ１４では、流入弁１５１が液体流路１２１を閉塞するように、弁制御部１８４によって流入弁１５１が制御される。これにより、オゾン発生器１２０の作動が停止された時点から、所定の時間が経過したときに、流入弁１５１によって液体流路１２１を流通する水の流れが停止されるため、エジェクタ１３０に水が流入しなくなる。このように、オゾン発生器１２０の作動が停止された場合には、オゾン発生器１２０の作動が停止されてから、液体流路１２１からエジェクタ１３０には、所定時間だけ水が供給され続ける。
【００６１】
言い換えると、制御部１８０（図２参照）は、オゾン発生器１２０が作動している間には、液体流路１２１（図１参照）からエジェクタ１３０に水を供給するように、且つ、オゾン発生器１２０の作動が停止された場合には、オゾン発生器１２０の作動が停止されてから、液体流路１２１からエジェクタ１３０に水を所定時間供給し続けるように、液体流路１２１を流通する水の流量を制御する。
【００６２】
以上のように、第１実施形態のオゾン水生成装置１００は、オゾンが溶解された水を生成する溶解液生成装置である。オゾン水生成装置１００は、気体流路１１４と、液体流路１２１と、オゾン発生器１２０と、エジェクタ１３０と、気液分離部１４０と、制御部１８０とを備えている。
【００６３】
気体流路１１４は、気体状態のオゾンを流通させる。液体流路１２１は、オゾンが溶解される水を流通させる。オゾン発生器１２０は、気体状態のオゾンを生成し且つ生成したオゾンを気体流路１１４に供給する。エジェクタ１３０は、液体流路１２１の一部を形成している。気体流路１１４の一端がエジェクタ１３０に接続されている。エジェクタ１３０は、オゾン発生器１２０から気体流路１１４に供給されるオゾンを、液体流路１２１を流通する水に気体流路１１４の一端から溶解させる。気液分離部１４０は、液体流路１２１のうちのエジェクタ１３０よりも水の流れ方向の下流側の一部を形成している。気体流路の他端が気液分離部１４０に接続されている。気液分離部１４０は、液体流路１２１を流通する水からオゾンの気泡と空気等との気体を分離させ且つオゾンを気体流路１１４の他端から気体流路１１４に排気する。
【００６４】
制御部１８０は、オゾン発生器１２０が作動している間には、液体流路１２１からエジェクタ１３０に水を供給するように、且つ、オゾン発生器１２０の作動が停止された場合には、液体流路１２１からエジェクタ１３０に、オゾン発生器１２０の作動が停止されてから所定時間水を供給し続けるように、液体流路１２１を流通する水の流量を制御する。
【００６５】
オゾン水生成装置１００によれば、オゾン発生器１２０の作動が停止された場合に、オゾン発生器１２０の作動が停止されてから、液体流路１２１からエジェクタ１３０に水が所定時間供給され続ける。これにより、オゾン発生器１２０の作動が停止された後に、気液分離部１４０にエジェクタ１３０から水が供給される。そのため、気体流路１１４に残留するオゾンは、液体流路１２１を流通する水に気体流路１１４から混入され且つ液体流路１２１から外部に排出される。これにより、オゾン発生器１２０の作動が停止された後に、気体状態のオゾンがオゾン水生成装置１００内に残留することが防止される。そのため、オゾン水生成装置１００において気体状態のオゾンが残留する部分が、オゾンによって劣化する事態を防止することができる。
【００６６】
このようにすることにより、特定の物質としてのオゾンが溶解された水を生成する溶解液生成装置であって、気体状態のオゾンが当該装置内に残留することが防止されたオゾン水生成装置１００を提供することができる。
【００６７】
オゾン水生成装置１００は、流入弁１５１を備えている。流入弁１５１は、液体流路１２１のうちのエジェクタ１３０よりも水の流れ方向の上流側の部分を開閉する。オゾン水生成装置１００において、制御部１８０は、判断部１８２と、弁制御部１８４と、タイマ１８１とを有している。判断部１８２は、オゾン発生器１２０の作動状態から非作動状態への切り替えを判断する。
【００６８】
弁制御部１８４は、流入弁１５１を制御する。弁制御部１８４は、オゾン発生器１２０が作動している間には、液体流路１２１を流入弁１５１に開放させ、且つ、判断部１８２によってオゾン発生器１２０が作動状態から非作動状態に切り替えられたことが判断された場合には、判断部１８２によってオゾン発生器１２０が作動状態から非作動状態に切り替えられたことが判断された時点から所定時間が経過した後に、液体流路１２１を流入弁１５１に閉塞させる。
【００６９】
オゾン水生成装置１００によれば、オゾン発生器１２０が作動している間には、液体流路１２１のうちのエジェクタ１３０よりも水の流れ方向の上流側の部分が流入弁１５１によって開放される。また、オゾン発生器１２０の作動が停止された場合には、流入弁１５１によって、液体流路１２１のうちのエジェクタ１３０よりも水の流れ方向の上流側の部分が、オゾン発生器１２０の作動が停止された時点から、所定時間開放される。このように、オゾン水生成装置１００によれば、オゾン発生器１２０の作動が停止された時点から、液体流路１２１からエジェクタ１３０に水を所定時間供給し続けることができる。したがって、気体状態のオゾンがオゾン水生成装置１００内に残留することが防止される。そのため、オゾン水生成装置１００において気体状態のオゾンが残留する部分が、オゾンによって劣化する事態を防止することができる。
【００７０】
なお、気体導入部１１０は、オゾン水生成装置１００の外部から内部に気体を導入させることが可能であるように構成されていればよい。例えば、気体導入部１１０の構成は、逆止弁１１２の代わりにオゾン発生器１２０に供給される気体量を制御することが可能な開閉バルブまたは電磁弁等を備えていてもよい。あるいは、気体導入部１１０は、逆止弁１１２を備えていなくてもよく、接続部１１３に三方向弁が配置されたような構成であってもよい。この三方向弁は、例えば、電子的に制御されるものであって、制御部１８０によって制御される。
【００７１】
接続部１１３の位置は、気体流路１１４のうち、オゾン発生器１２０とエジェクタ１３０との間であってもよい。つまり、管路１１１は、気体流路１１４のうち、オゾン発生器１２０とエジェクタ１３０との間を延びる部分に接続されていてもよい。
【００７２】
なお、液体流路１２１には、使用者が図示しない水道蛇口を開放することにより、原水としての水道水が供給される。ただし、原水は、水道水に限定されず、井戸水、または、河川水等であってもよい。
【００７３】
なお、気液混合部の構成は、エジェクタ型のものに限定されず、気体流路１１４から導入されたオゾンと液体流路１２１を流通する水とを混合させ、且つ、オゾンを水に溶解させる構成を有していればよい。
【００７４】
液体流路１２１において流入弁１５１の位置は、特に限定されない。流入弁１５１は、液体流路１２１からエジェクタ１３０に流入する水の流れを制限させることができるような位置に配置されていればよい。流入弁１５１は、液体流路１２１においてエジェクタ１３０よりも水の流れ方向の下流側に配置されていてもよい。
【００７５】
オゾン水生成装置１００は、逆止弁１１５を備えていなくてもよい。気体流路１１４を流通するオゾンの一部を含む気体の圧力に応じて、オゾン水生成装置１００は、流出口１４３から接続部１１３を経てエジェクタ１３０の内部まで気体を流通させることができる。
【００７６】
吐水部１６０の構成は、特に限定されない。吐水部１６０は、オゾンが溶解した水をオゾン水生成装置１００の外部に排出または吐出することが可能であるように構成されていればよく、例えば図示しない電磁弁を有しているものであってもよい。吐水部１６０の電磁弁の開閉は、例えば制御部１８０によって制御される。吐水部１６０の電磁弁は、流入弁としての機能を有していてもよい。
【００７７】
（第２実施形態）
以下では、第２実施形態に係るオゾン水生成装置２００について、図４〜図６を用いて説明する。オゾン水生成装置２００は、衛生器具用洗浄装置に用いることができる。なお、以下において、第１実施形態に係るオゾン水生成装置１００の構成と同様の機能を有する構成には同符号を付し、その説明を省略する。
【００７８】
図４に示すように、オゾン水生成装置２００が第１実施形態に係るオゾン水生成装置１００と異なる点は、オゾン水生成装置２００は、排気流路２１６と、電磁弁２１１と、電磁弁２１２と、紫外線照射部２２０とを備えている。電磁弁２１２は、排気流路２１６を開閉する。電磁弁２１１は、気体流路１１４を開閉する。紫外線照射部２２０は、気液分離部１４０から排気流路２１６に排出されたオゾンに紫外線を照射することにより、オゾンを無害成分の物質に分解する。紫外線照射部２２０は、分解部の一例である。
【００７９】
排気流路２１６の一端は、接続部１１７によって気体流路１１４に接続されている。これにより、排気流路２１６の一端は、気体流路１１４を介してエジェクタ１３０に接続されている。排気流路２１６の他端は、接続部１１６によって気体流路１１４に接続されている。これにより、排気流路２１６の他端は、気体流路１１４を介して気液分離部１４０に接続されている。なお、管路１１１と気体流路１１４と液体流路１２１と排気流路２１６とは、一般的な配管によって形成されており、図示しない管状部材によって形成されている。
【００８０】
第１の弁の一例としての電磁弁２１１は、気体流路１１４において、気液分離部１４０とオゾン発生器１２０との間の部分を開閉する。第２の弁の一例としての電磁弁２１２は、排気流路２１６を開閉する。
【００８１】
図５には、オゾン水生成装置２００が備える制御部２８０の構成を示す。図５に示すように、制御部２８０は、タイマ２８１と判断部２８２とオゾン発生制御部２８３と弁制御部２８４と紫外線制御部２８５とを有している。
【００８２】
オゾン発生制御部２８３は、オゾン発生器１２０を制御する。判断部２８２は、オゾン水生成装置２００において制御に必要な判断を実行する。判断部２８２は、オゾン発生器１２０の作動状態から非作動状態への切り替えを判断する。
【００８３】
紫外線制御部２８５は、紫外線照射部２２０を制御する。紫外線制御部２８５は、紫外線照射部２２０の光源（図示せず）に接続された電源回路（図示せず）を制御することにより、例えば、光源の発光または消光を切り替え、光源から照射される紫外線量を調節する。紫外線照射部２２０の光源は、特に限定されず、光源が発する光に紫外線が含まれていればよい。
【００８４】
弁制御部２８４は、流入弁１５１と電磁弁２１１と電磁弁２１２とを制御する。弁制御部２８４は、オゾン発生器１２０が作動している間には、液体流路１２１のうちのエジェクタ１３０よりも水の流れ方向の上流側の部分を流入弁１５１に開放させる。弁制御部２８４は、判断部２８２によってオゾン発生器１２０が作動状態から非作動状態に切り替えられたことが判断された場合には、判断部２８２によってオゾン発生器１２０が作動状態から非作動状態に切り替えられたことが判断された時点から所定時間が経過した後に、液体流路１２１のうちのエジェクタ１３０よりも水の流れ方向の上流側の部分を流入弁１５１に閉塞させる。
【００８５】
弁制御部２８４は、オゾン発生器１２０が作動している間には、気液分離部１４０とオゾン発生器１２０との間の部分を電磁弁２１１に開放させ且つ排気流路２１６を電磁弁２１２に閉塞させる。また、弁制御部２８４は、判断部２８２によってオゾン発生器１２０が作動状態から非作動状態に切り替えられたことが判断された場合には、判断部２８２によってオゾン発生器１２０が作動状態から非作動状態に切り替えられたことが判断された時点から所定時間が経過するまでの間に、気液分離部１４０とオゾン発生器１２０との間の部分を電磁弁２１１に閉塞させ且つ排気流路２１６を電磁弁２１２に開放させる。
【００８６】
紫外線制御部２８５は、オゾン発生器１２０が作動している間には、紫外線照射部２２０が紫外線を発しないように紫外線照射部２２０を制御する。紫外線制御部２８５は、判断部２８２によってオゾン発生器１２０が作動状態から非作動状態に切り替えられたことが判断された場合には、判断部２８２によってオゾン発生器１２０が作動状態から非作動状態に切り替えられたことが判断された時点から所定時間が経過するまでの間に、排気流路２１６を流通するオゾンを含む気体に紫外線が照射されるように、紫外線照射部２２０を制御する。
【００８７】
次に、オゾン発生器１２０が作動状態から非作動状態に切り替えられた場合に実行されるオゾン水生成装置２００の制御の一例について、フローチャートを用いて説明する。図６に示すように、ステップＳ２１において、オゾン発生器１２０の作動が停止されたか否かが判定される。ステップＳ２１においてオゾン発生器１２０の作動が停止されたことが判定される場合には、ステップＳ２２に進む。
【００８８】
ステップＳ２２では、オゾン発生器１２０の作動が停止された時点から経過する時間のカウントが開始される。オゾン発生器１２０の作動が停止された時点から経過する時間は、タイマ２８１（図５参照）によって数えられる。
【００８９】
続いてステップＳ２３では、電磁弁２１１が気体流路１１４を閉塞するように、弁制御部２８４によって電磁弁２１１が制御される。また、電磁弁２１２が排気流路２１６を開放するように、弁制御部２８４によって電磁弁２１２が制御される。
【００９０】
ステップＳ２４では、紫外線制御部２８５（図５参照）によって紫外線照射部２２０が制御されることにより、紫外線の照射が開始される。これにより、気液分離部１４０から排気流路２１６に排気されたオゾンに、紫外線が照射される。なお、ステップＳ２２とＳ２３とＳ２４とは、並行したステップであってもよく、それぞれの順が入れ替わっていてもよい。
【００９１】
ステップＳ２５では、オゾン発生器１２０の作動が停止された時点から、所定の時間が経過したか否かが判定される。ステップＳ２５において、所定の時間が経過したことが判定される場合には、ステップＳ２６に進む。
【００９２】
ステップＳ２６では、流入弁１５１が液体流路１２１を閉塞するように、弁制御部２８４によって流入弁１５１が制御される。ステップＳ２７では、紫外線の照射が停止される。
【００９３】
このように、オゾン発生器１２０の作動が停止された場合には、オゾン発生器１２０の作動が停止されてから、液体流路１２１からエジェクタ１３０には、所定時間だけ水が供給され続ける。また、オゾン発生器１２０の作動が停止された場合には、オゾン水生成装置２００に残留するオゾンを含む気体のうち、液体流路１２１を流通する水から分離されたオゾンを含む気体に、オゾン発生器１２０の作動が停止されてから所定時間だけ紫外線が照射される。
【００９４】
以上のように、第２実施形態に係るオゾン水生成装置２００は、気体流路１１４と、液体流路１２１と、オゾン発生器１２０と、エジェクタ１３０と、気液分離部１４０と、排気流路２１６と、電磁弁２１１と、電磁弁２１２と、紫外線照射部２２０とを備えている。排気流路２１６の一端は、接続部１１７によって気体流路１１４に接続されることにより、エジェクタ１３０に接続されている。排気流路２１６の他端は、接続部１１６によって気体流路１１４に接続されることにより、気液分離部１４０に接続されている。電磁弁２１１は、気体流路１１４において、気液分離部１４０とオゾン発生器１２０との間の部分を開閉する。電磁弁２１２は、排気流路２１６を開閉する。紫外線照射部２２０は、気液分離部１４０から排気流路２１６に排出されたオゾンを所定の成分に分解することによって無害化する。
【００９５】
弁制御部２８４は、オゾン発生器１２０が作動している間には、液体流路１２１のうちのエジェクタ１３０よりも水の流れ方向の上流側の部分を流入弁１５１に開放させ、気液分離部１４０とオゾン発生器１２０との間の部分を電磁弁２１１に開放させ、且つ、電磁弁２１２に排気流路２１６を閉塞させる。また、弁制御部２８４は、判断部２８２によってオゾン発生器１２０が作動状態から非作動状態に切り替えられたことが判断された場合には、判断部２８２によってオゾン発生器１２０が作動状態から非作動状態に切り替えられたことが判断された時点から所定時間が経過した後に、液体流路１２１のうちのエジェクタ１３０よりも水の流れ方向の上流側の部分を流入弁１５１に閉塞させる。
【００９６】
さらに、弁制御部２８４は、判断部２８２によってオゾン発生器１２０が作動状態から非作動状態に切り替えられたことが判断された場合には、判断部２８２によってオゾン発生器１２０が作動状態から非作動状態に切り替えられたことが判断された時点から所定時間が経過するまでの間に、気液分離部１４０とオゾン発生器１２０との間の部分を電磁弁２１１に閉塞させ且つ電磁弁２１２に排気流路２１６を開放させる。
【００９７】
一方、紫外線制御部２８５は、オゾン発生器１２０が作動している間には、紫外線照射部２２０の発光を停止させている。紫外線制御部２８５は、判断部２８２によってオゾン発生器１２０が作動状態から非作動状態に切り替えられたことが判断された場合には、判断部２８２によってオゾン発生器１２０の作動が停止されてから、排気流路２１６を流通するオゾンを含む気体に紫外線が所定時間照射されるように、紫外線照射部２２０を制御する。
【００９８】
オゾン水生成装置２００によれば、液体流路１２１からエジェクタ１３０には、オゾン発生器１２０の作動が停止された場合に、オゾン発生器１２０の作動が停止された時点から水が所定時間供給され続ける。一方、気液分離部１４０とエジェクタ１３０との間に延びる排気流路２１６は、オゾン発生器１２０が作動している間に、電磁弁２１２によって閉塞されている。排気流路２１６は、オゾン発生器１２０の作動が停止された場合には、オゾン発生器１２０の作動が停止された時点から、電磁弁２１２によって所定時間開放される。これにより、オゾン発生器１２０の作動が停止された場合に、エジェクタ１３０と気液分離部１４０との間および排気流路２１６を気体が所定時間流通し続ける。さらに、この所定時間内に、排気流路２１６を流通するオゾンは、紫外線照射部２２０が発する紫外線によって無害化される。
【００９９】
無害化された物質と、オゾン水生成装置２００に残留するオゾンとは、液体流路１２１を流通する水に気体流路１１４から混入されることにより、液体流路１２１から外部に排出される。このようにして、オゾン発生器１２０の作動が停止された後に、オゾン水生成装置２００内にオゾンが残留することが防止される。そのため、オゾン水生成装置２００においてオゾンが残留する部分が、オゾンによって劣化する事態を防止することができる。
【０１００】
なお、紫外線照射部２２０は、電磁弁２１２よりも、排気流路２１６を流れる気体の流れ方向の上流側に配置されていてもよい。なお、分解部の例は、紫外線照射部２２０に限定されない。分解部の別の例は、気液分離部１４０から排気流路２１６に排出されたオゾンを含む気体を加熱することにより、オゾンを無害成分の物質に分解するヒータであってもよい。
【０１０１】
分解部のさらに別の例は、活性炭を有し且つ排気流路２１６に配置されたフィルタ槽であってもよく、排気流路２１６を形成する管状部材の内部に収容された金属触媒等であってもよい。さらに、分解部は、上記の活性炭を収容したフィルタ槽、ヒータ、金属触媒、および、紫外線照射部２２０の何れかまたは全ての組み合わせによって構成されていてもよい。
【０１０２】
オゾン水生成装置２００が紫外線照射部２２０を備えておらず、ヒータを備えている場合には、オゾン水生成装置２００が実行する制御（図６参照）のうち、ステップＳ２４において「紫外線の照射を開始する」は、「排気流路２１６を流通する気体の加熱を開始する」と読み替え、且つ、ステップＳ２７において「紫外線の照射を停止する」は、「排気流路２１６を流通する気体の加熱を停止する」と読み替えるものとする。
【０１０３】
紫外線照射部２２０またはヒータをオゾン水生成装置２００が備えておらず、活性炭を収容したフィルタ槽が配置されている構成または管状部材の内部に金属触媒が収容された構成をオゾン水生成装置２００が有している場合には、オゾン水生成装置２００が実行する制御のうち、ステップＳ２４とステップＳ２７とが省略される。
【０１０４】
排気流路２１６の一端は、気体流路１１４を介さずに、エジェクタ１３０に接続されていてもよい。この場合には、気体の流入口１３３の他に別の流入口がエジェクタ１３０に形成されていてもよく、あるいは、流入口１３３が、エジェクタ１３０の内部と気体流路１１４および排気流路２１６とを連通させるものであってもよい。排気流路２１６の他端は、気体流路１１４を介さずに、気液分離部１４０に接続されていてもよい。この場合には、気体の流出口１４３の他に別の流出口が気液分離部１４０に形成されていてもよく、あるいは、流出口１４３が、気液分離部１４０の内部と気体流路１１４および排気流路２１６とを連通させるものであってもよい。
【０１０５】
（第３実施形態）
以下では、第３実施形態に係るオゾン水生成装置３００について、図７〜図９を用いて説明する。オゾン水生成装置３００は、衛生器具用洗浄装置に用いることができる。なお、以下において、第１実施形態に係るオゾン水生成装置１００の構成と同様の機能を有する構成には同符号を付し、その説明を省略する。
【０１０６】
図７に示すように、オゾン水生成装置３００が第１実施形態に係るオゾン水生成装置１００と異なる点は、オゾン水生成装置３００は、流入弁１５３と流出弁３０４と循環流路３０１と紫外線照射部３２０とポンプ３１０とを備えている。
【０１０７】
流入弁１５３は、電子的に開閉が制御される電磁弁である。流入弁１５３は、オゾン水生成装置３００の本体（図示せず）の外部に配置されたものであってもよく、本体の内部に収容されたものであってもよい。流入弁１５３は、液体流路１２１のうちのエジェクタ１３０よりも水の流れ方向の上流側の部分を開閉する。
【０１０８】
流出弁３０４は、電子的に開閉が制御される電磁弁である。流出弁３０４は、液体流路１２１のうちの気液分離部１４０よりも水の流れ方向の下流側の部分を開閉する。循環流路３０１の一端は、液体流路１２１のうちの流入弁１５３とエジェクタ１３０との間に、接続部３０３によって接続されている。循環流路３０１の他端は、液体流路１２１のうちの気液分離部１４０と流出弁３０４との間に、接続部３０２によって接続されている。なお、管路１１１と気体流路１１４と液体流路１２１と循環流路３０１とは、一般的な配管によって形成されており、図示しない管状部材によって形成されている。
【０１０９】
紫外線照射部３２０は、気液分離部１４０から気体流路１１４に排出されたオゾンに紫外線を照射することにより、オゾンを無害成分の物質に分解する。紫外線照射部３２０は、分解部の一例である。ポンプ３１０は、循環流路３０１に接続されている。
【０１１０】
図８には、オゾン水生成装置３００が備える制御部３８０の構成を示す。図８に示すように、制御部３８０は、タイマ３８１と判断部３８２とオゾン発生制御部３８３と弁制御部３８４と紫外線制御部３８５とポンプ制御部３８６とを有している。
【０１１１】
オゾン発生制御部３８３は、オゾン発生器１２０を制御する。判断部３８２は、オゾン水生成装置３００において制御に必要な判断を実行する。判断部３８２は、オゾン発生器１２０の作動状態から非作動状態への切り替えを判断する。紫外線制御部３８５は、紫外線照射部３２０の光源（図示せず）に接続された電源回路（図示せず）を制御することにより、例えば、光源の発光または消光を切り替え、光源から照射される紫外線量を調節する。紫外線照射部３２０の光源は、特に限定されず、光源が発する光に紫外線が含まれていればよい。
【０１１２】
ポンプ制御部３８６は、ポンプ３１０を制御する。ポンプ制御部３８６は、ポンプ３１０に接続された電源回路（図示せず）を制御することにより、例えば、ポンプ３１０の作動のオンまたはオフを切り替え、ポンプ３１０の出力を調節する。
【０１１３】
弁制御部３８４は、流入弁１５３と流出弁３０４とを制御する。弁制御部３８４は、オゾン発生器１２０が作動している間には、液体流路１２１のうちのエジェクタ１３０よりも水の流れ方向の上流側の部分を流入弁１５３に開放させ且つ液体流路１２１のうちの気液分離部１４０よりも水の流れ方向の下流側の部分を流出弁３０４に開放させる。また、弁制御部２８４は、判断部３８２によってオゾン発生器１２０が作動状態から非作動状態に切り替えられたことが判断された場合には、判断部３８２によってオゾン発生器１２０が作動状態から非作動状態に切り替えられたことが判断された時点から所定時間が経過するまでの間に、液体流路１２１のうちのエジェクタ１３０よりも水の流れ方向の上流側の部分を流入弁１５３に閉塞させ且つ液体流路１２１のうちの気液分離部１４０よりも水の流れ方向の下流側の部分を流出弁３０４に閉塞させる。
【０１１４】
ポンプ制御部３８６は、オゾン発生器１２０が作動している間には、ポンプ３１０の作動を停止させる。ポンプ制御部３８６は、判断部３８２によってオゾン発生器１２０が作動状態から非作動状態に切り替えられたことが判断された場合には、判断部３８２によってオゾン発生器１２０が作動状態から非作動状態に切り替えられたことが判断された時点から所定時間が経過するまでの間に、ポンプ３１０を作動させる。
【０１１５】
紫外線制御部３８５は、オゾン発生器１２０が作動している間には、紫外線照射部３２０が紫外線を発しないように紫外線照射部３２０を制御する。紫外線制御部３８５は、判断部３８２によってオゾン発生器１２０が作動状態から非作動状態に切り替えられたことが判断された場合には、判断部３８２によってオゾン発生器１２０が作動状態から非作動状態に切り替えられたことが判断された時点から所定時間が経過するまでの間に、循環流路３０１を流通するオゾンを含む水に紫外線が照射されるように紫外線照射部３２０を制御する。
【０１１６】
次に、オゾン発生器１２０が作動状態から非作動状態に切り替えられた場合に実行されるオゾン水生成装置３００の制御の一例について、フローチャートを用いて説明する。図９に示すように、ステップＳ３１において、オゾン発生器１２０の作動が停止されたか否かが判定される。ステップＳ３１においてオゾン発生器１２０の作動が停止されたことが判定される場合には、ステップＳ３２に進む。
【０１１７】
ステップＳ３２では、オゾン発生器１２０の作動が停止された時点から経過する時間のカウントが開始される。オゾン発生器１２０の作動が停止された時点から経過する時間は、タイマ３８１（図８参照）によって数えられる。
【０１１８】
続いてステップＳ３３では、流入弁１５３が液体流路１２１を閉塞するように、弁制御部３８４によって流入弁１５３が制御される。また、流出弁３０４が液体流路１２１を閉塞するように、弁制御部３８４によって流出弁３０４が制御される。
【０１１９】
ステップＳ３４では、ポンプ制御部３８６（図８参照）によってポンプ３１０が制御されることにより、ポンプ３１０の作動が開始される。これらステップＳ３３とＳ３４とにより、接続部３０３と接続部３０２との間の液体流路１２１の一部と、循環流路３０１との間を水が循環する。なお、液体流路１２１において、水は接続部３０３から接続部３０２に向かって流れる。また、循環流路３０１において、水は接続部３０２から接続部３０３に向かって流れる。
【０１２０】
ステップＳ３５では、紫外線制御部３８５（図８参照）によって紫外線照射部３２０が制御されることにより、紫外線の照射が開始される。これにより、循環流路３０１を流通し、且つ、気液分離部１４０から気体流路１１４に排気されたオゾンが含まれる水に、紫外線が照射される。なお、ステップＳ３２とＳ３３とＳ３４とＳ３５とは、並行したステップであってもよく、それぞれの順が入れ替わっていてもよい。
【０１２１】
ステップＳ３６では、オゾン発生器１２０の作動が停止された時点から、所定の時間が経過したか否かが判定される。ステップＳ３６において、所定の時間が経過したことが判定される場合には、ステップＳ３７に進む。
【０１２２】
ステップＳ３７では、ポンプ３１０の作動が停止される。このように、オゾン発生器１２０の作動が停止された場合には、液体流路１２１からエジェクタ１３０には、オゾン発生器１２０の作動が停止されてから所定時間だけ水が供給され続ける。
【０１２３】
ステップＳ３８では、紫外線の照射が停止される。このように、オゾン発生器１２０の作動が停止された場合には、液体流路１２１を流通する水から分離されたオゾンを含む気体に、オゾン発生器１２０の作動が停止されてから所定時間だけ紫外線が照射される。
【０１２４】
以上のように、オゾン水生成装置３００は、気体流路１１４と、液体流路１２１と、オゾン発生器１２０と、エジェクタ１３０と、気液分離部１４０と、流入弁１５３と、流出弁３０４と、循環流路３０１と、紫外線照射部３２０と、ポンプ３１０とを備えている。流入弁１５３は、液体流路１２１のうちのエジェクタ１３０よりも水の流れ方向の上流側の部分を開閉する。流出弁３０４は、液体流路１２１のうちの気液分離部１４０よりも水の流れ方向の下流側の部分を開閉する。循環流路３０１の一端は、液体流路１２１のうちの流入弁１５３とエジェクタ１３０との間に接続されている。循環流路３０１の他端は、液体流路１２１のうちの気液分離部１４０と流出弁３０４との間に接続されている。紫外線照射部３２０は、気液分離部１４０から気体流路１１４に排出されたオゾンを所定の成分に分解することによって無害化する。ポンプ３１０は、循環流路３０１に接続されている。
【０１２５】
制御部３８０は、判断部３８２と、弁制御部３８４と、ポンプ制御部３８６と、タイマ３８１とを有している。判断部３８２は、オゾン発生器１２０の作動状態から非作動状態への切り替えを判断する。弁制御部３８４は、流入弁１５３および流出弁３０４を制御する。ポンプ制御部３８６は、ポンプ３１０を制御する。
【０１２６】
弁制御部３８４は、オゾン発生器１２０が作動している間には、液体流路１２１のうちのエジェクタ１３０よりも水の流れ方向の上流側の部分を流入弁１５３に開放させ且つ液体流路１２１のうちの気液分離部１４０よりも水の流れ方向の下流側の部分を流出弁３０４に開放させる。また、弁制御部３８４は、判断部３８２によってオゾン発生器１２０が作動状態から非作動状態に切り替えられたことが判断された場合には、判断部３８２によってオゾン発生器１２０が作動状態から非作動状態に切り替えられたことが判断された時点から所定時間が経過するまでの間に、流入弁１５３にエジェクタ１３０の上流側の部分を閉塞させ且つ流出弁３０４にエジェクタ１３０の下流側の部分を閉塞させる。
【０１２７】
ポンプ制御部３８６は、判断部３８２によってオゾン発生器１２０が作動状態から非作動状態に切り替えられたことが判断された場合には、判断部３８２によってオゾン発生器１２０が作動状態から非作動状態に切り替えられたことが判断された時点から所定時間が経過するまでの間に、ポンプ３１０を作動させる。
【０１２８】
一方、紫外線制御部３８５は、オゾン発生器１２０が作動している間には、紫外線照射部３２０の発光を停止させている。紫外線制御部３８５は、判断部３８２によってオゾン発生器１２０が作動状態から非作動状態に切り替えられたことが判断された場合には、判断部３８２によってオゾン発生器１２０の作動が停止されてから、循環流路３０１を流通するオゾンを含む水に紫外線が所定時間照射されるように、紫外線照射部３２０を制御する。
【０１２９】
オゾン水生成装置３００によれば、オゾン発生器１２０が作動している間には、液体流路１２１において流入弁１５３が配置された位置と流出弁３０４が配置された位置との間を水が流通する。オゾン発生器１２０の作動が停止された場合には、ポンプ３１０の作動により、水は、液体流路１２１の一部と循環流路３０１との間を、オゾン発生器１２０の作動が停止されてから所定時間循環する。そのため、気体発生部の作動が停止された場合に、エジェクタ１３０には、オゾン発生器１２０の作動が停止されてから、循環流路３０１から水が所定時間供給され続ける。
【０１３０】
一方、オゾンを含む気体は、オゾン発生器１２０の作動が停止された場合に、液体流路１２１のうちのエジェクタ１３０と気液分離部１４０との間および気体流路１１４を所定時間流通し続ける。オゾン水生成装置３００に残留する気体状態のオゾンは、この所定時間内に、液体流路１２１の一部と循環流路３０１との間を循環する水に混入される。さらに、水に混入されたオゾンは、この所定時間において循環流路３０１を流通するときに、紫外線照射部３２０が発する紫外線によって無害化される。このようにして、オゾン水生成装置３００内にオゾンが残留することが防止される。そのため、オゾン水生成装置３００においてオゾンが残留する部分が、オゾンによって劣化する事態を防止することができる。
【０１３１】
なお、紫外線照射部３２０は、ポンプ３１０よりも、循環流路３０１を流れる水の流れ方向の上流側に配置されていてもよい。なお、分解部の例は、紫外線照射部３２０に限定されない。分解部の別の例は、ヒータであってもよい。ヒータは、気液分離部１４０から気体流路１１４に排出されたオゾンを含む気体が混入された水を、循環流路３０１において加熱することにより、オゾンを無害成分の物質に分解する。
【０１３２】
分解部のさらに別の例は、活性炭を有し且つ循環流路３０１に配置されたフィルタ槽であってもよく、循環流路３０１を形成する管状部材の内部に収容された金属触媒等であってよい。さらに、分解部は、上記の活性炭を収容したフィルタ槽、ヒータ、金属触媒、および、紫外線照射部３２０の何れかまたは全ての組み合わせによって構成されていてもよい。
【０１３３】
オゾン水生成装置３００が紫外線照射部３２０を備えておらず、ヒータを備えている場合には、オゾン水生成装置３００が実行する制御（図９参照）のうち、ステップＳ３５において「紫外線の照射を開始する」は、「循環流路３０１を流通する水の加熱を開始する」と読み替え、且つ、ステップＳ３８において「紫外線の照射を停止する」は、「循環流路３０１を流通する水の加熱を停止する」と読み替えるものとする。
【０１３４】
紫外線照射部３２０またはヒータをオゾン水生成装置３００が備えておらず、活性炭を収容したフィルタ槽が配置されている構成または管状部材の内部に金属触媒が収容された構成をオゾン水生成装置３００が有している場合には、オゾン水生成装置３００が実行する制御のうち、ステップＳ３５とステップＳ３８とが省略される。
【０１３５】
なお、ステップＳ３６（図９参照）とステップＳ３７との間に、流出弁３０４に液体流路１２１を開放させるステップが実行されていてもよい。このステップによれば、オゾン水生成装置３００に残留したオゾンを、オゾン水生成装置３００の外部により効果的に排出することができる。
【０１３６】
なお、オゾン水生成装置１００，２００，３００のいずれかは、衛生器具用洗浄装置に用いることができる。衛生器具には、例えば、便所、洗面所、または、浴室に用いられた大小便器、手洗い器、洗面器、または、浴槽等が含まれる。つまり、オゾン水生成装置１００を備えた衛生器具用洗浄装置は、例えば、便所、洗面所、もしくは、浴室に用いられる器具、または、便所、洗面所、もしくは、浴室を洗浄するための装置である。
【０１３７】
例えば、図１０に示すように、小便器９０１，９０２，９０３を洗浄するための衛生器具用洗浄装置９５０が便所９００に設置されている。便所９００は、衛生器具設備の一例である。衛生器具用洗浄装置９５０は、小便器９０１，９０２，９０３を含む便器に水を供給するための配管９１０に接続されている。衛生器具用洗浄装置９５０は、オゾン水生成装置１００，２００，３００のうち、例えばオゾン水生成装置１００を備えている。配管９１０を流通する水が衛生器具用洗浄装置９５０を通過するときに水にオゾンが溶解されることにより、オゾン水が生成される。衛生器具用洗浄装置９５０を通過した後に配管９１０を流通するオゾン水は、小便器９０１，９０２，９０３を含む便器に供給される。
【０１３８】
また例えば、図１１に示すように、小便器９２０は、衛生陶器９２１を洗浄するための衛生器具用洗浄装置９２２を備えている。小便器９２０は、衛生器具の一例である。衛生器具用洗浄装置９２２は、小便器９２０の上部に配置されている。衛生器具用洗浄装置９５０は、オゾン水生成装置１００，２００，３００のうち、例えばオゾン水生成装置１００を備えている。
【０１３９】
さらに例えば、図１２に示すように、大便器９４０は、洗浄便座９３０を備えている。洗浄便座９３０は、オゾン水生成装置１００，２００，３００のうち、例えばオゾン水生成装置１００を備えた洗浄ユニット９３４と、便座カバー９３３と、便座９３２とを有する。洗浄ユニット９３４は、衛生陶器９３１を洗浄するための衛生器具用洗浄装置の一例である。大便器９４０は、衛生器具の一例である。
【０１４０】
以上のように、例えばオゾン水生成装置１００を備えた衛生器具用洗浄装置９２０が設置された便所９００においては、オゾン水生成装置１００、または、オゾン水生成装置１００から小便器９０１，９０２，９０３を含む便器にオゾン水を供給する配管９１０等において気体状態のオゾンが残留する部分が、オゾンによって劣化する事態を防止することができる。
【０１４１】
（実施例）
実施例では、第１実施形態に係るオゾン水生成装置１００（図１参照）を用いて、液体流路１２１からエジェクタ１３０に、オゾン発生器１２０の作動が停止されてから所定時間水を供給し続けることにより、オゾン水生成装置１００に残留するオゾンの量として、オゾン水生成装置１００に残留する気体に含まれるオゾンガスの濃度の経過時間に対する変化と、オゾン水に含まれるオゾンの濃度の経過時間に対する変化とを調べた。
【０１４２】
オゾン水生成装置１００に残留する空気のオゾン濃度については、オゾン水生成装置１００のオゾン発生器１２０とエジェクタ１３０の流入口１３３との間の部分の気体のオゾン濃度を測定した。オゾン水のオゾン濃度については、オゾン水生成装置１００の気液分離部１４０の流出口１４２から吐出部１６０との間の部分を流通するオゾン水のオゾン濃度を測定した。オゾン発生器１２０の作動が停止されてから、液体流路１２１に供給される水の量は、約２Ｌ／ｍｉｎであった。
【０１４３】
オゾン発生器１２０の作動が停止されてから経過した時間としては、０秒（つまり、オゾン水生成直後）、３０秒、６０秒、９０秒、１２０秒、１５０秒、および、１８０秒を設定した。図１３に示すように、オゾン発生器１２０の作動が停止されてから、時間が経過するに従って、気体のオゾン濃度とオゾン水のオゾン濃度とが低下する。
【０１４４】
図１３に基づけば、本発明に係るオゾン水生成装置によって、オゾン水生成装置内のオゾンの残留を防止することができることがわかる。
【０１４５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１４６】
１００，２００，３００：オゾン水生成装置、１１４：気体流路、１２０：オゾン発生器、１２１：液体流路、１３０：エジェクタ、１４０：気液分離部、１５１：流入弁、１８０：制御部、２１１：電磁弁、２１２：電磁弁、２２０，３２０：紫外線照射部、３１０：ポンプ
【図１】
2013094696.tif 000003
【図２】
2013094696.tif 000004
【図３】
2013094696.tif 000005
【図４】
2013094696.tif 000006
【図５】
2013094696.tif 000007
【図６】
2013094696.tif 000008
【図７】
2013094696.tif 000009
【図８】
2013094696.tif 000010
【図９】
2013094696.tif 000011
【図１０】
2013094696.tif 000012
【図１１】
2013094696.tif 000013
【図１２】
2013094696.tif 000014
【図１３】
2013094696.tif 000015